(57)【要約】【課題】矩形段ボールシートＳの切り溝Ｓｒ１の始端部の破れを防止すると共に、耐久性の高いスロッタナイフ５を提供する。【解決手段】外周面の両側縁に一対の円弧状刃部５２を有する扇形板状部５１と、扇形板状部５１の外周面の周方向一方の端部に設けられた突刃部５３とを備えるスロッタナイフ５において、突刃部５３は四角錐台形状に形成され、先端面５３ａの前端面５３ｂと連接する前縁Ｘは、扇形板状部５１の外周面に沿う円の中心軸線Ｌに対して傾斜しており、前端面５３ｂは、先端面５３ａの前縁Ｘから径方向内方へ垂下し、先端面５３ａの後端面５３ｃと連接する後縁Ｙは、前縁Ｘと同一方向であって中心軸線Ｌに対し前縁Ｘよりも傾斜しており、後端面５３ｃは、扇形板状部５１の外周面から捩れる様にして先端面５３ａに向って次第に径方向外方へ突出する様に傾斜した面とされる。【選択図】図４
2010158860.tif 000002
【特許請求の範囲】
【請求項１】
外周面の両側縁に一対の円弧状刃部を有する扇形板状部と、該扇形板状部の外周面の周方向一方の端部に設けられた突刃部とを備えるスロッタナイフにおいて、
前記突刃部は四角錐台形状に形成され、
前記突刃部の径方向外方の面を先端面、前記周方向一方側の面を前端面、周方向他方側の面を後端面として、
前記先端面の前記前端面と連接する前縁は、前記扇形板状部の外周面に沿う円の中心軸線に対して傾斜しており、
前記前端面は、前記先端面の前縁から径方向内方へ垂下し、
前記先端面の前記後端面と連接する後縁は、前記前縁と同一方向であって前記中心軸線に対し該前縁よりも傾斜しており、
前記後端面は、前記扇形板状部の外周面から捩れる様にして前記先端面に向って次第に径方向外方へ突出する様に傾斜した面とされることを特徴とするスロッタナイフ。
【請求項２】
請求項１記載のスロッタナイフにおいて、段ボール製包装箱用シートの挿入方向の後端部側の止め代用の切り溝を形成するものであり、前記突刃部の先端面の前縁及び後縁は、前記止め代側が前記周方向他方に向うように傾斜していることを特徴とするスロッタナイフ。
【発明の詳細な説明】
【技術分野】
【０００１】
本発明は、矩形段ボールシート等のシートの対向する両端部に切り溝を形成するスロッタナイフに関する。
【背景技術】
【０００２】
従来、外周面の両側縁に一対の円弧状刃部を有する扇形板状部と、該扇形板状部の外周面の周方向一方の端部に設けられた突刃部とを備えるスロッタナイフが知られている（例えば、特許文献１参照）。
【０００３】
このスロッタナイフは、スロッタ装置に取り付けられるもので、スロッタ装置は、第１回転軸と、第１回転軸と平行に配置される第２回転軸と、第１回転軸を内挿した状態でこれに固定される第１筒状体と、この第１筒状体の軸方向一方の側面に周方向に間隔を存して固定される一対のスロッタナイフと、第２回転軸を内挿した状態でこれに固定される第２筒状体と、第２筒状体の外周面にスロッタナイフに対応させてスロッタナイフの円弧状刃部を受け入れると共に開口端縁たる一対の受け刃を有する環状溝部とを備え、両筒状体間に挿入される矩形段ボールシートの挿入方向の前後端部に夫々切り溝を形成する。
【０００４】
スロッタ装置の一対のスロッタナイフのうち、矩形段ボールシートの挿入方向の前端部に切り溝を形成する方を前方スロッタナイフ、矩形段ボールシートの挿入方向の後端部に切り溝を形成する方を後方スロッタナイフとして、前方スロッタナイフの回転方向と逆方向側の外周面後端部には、径方向外方に突出する切り終り突部が設けられており、この切り終り突部により、前端部の切り溝の終端部を形成する。後方スロッタナイフの回転方向前方部には、径方向外方に突出する突刃部が設けられており、この突刃部により、後端部の切り溝の始端部を形成する。
【０００５】
ところで、後方スロッタナイフの突刃部で後端部の切り溝の始端部を形成する際に、切り溝の始端部が破れてしまうことがある。これを防止すべく、特許文献１のものでは後方スロッタナイフの突刃部を尖鋭に形成している。
【先行技術文献】
【特許文献】
【０００６】
【特許文献１】特開２００１−２８７２８５号公報
【発明の概要】
【発明が解決しようとする課題】
【０００７】
上記の如く、後方スロッタナイフの突刃部を尖鋭にすると、切り溝の始端部の破れを防止することができるものの、突刃部の刃先が磨耗し易く、耐久性が低下してしまう。
【０００８】
本発明は、以上の点に鑑み、切り溝の端部の破れを防止すると共に、耐久性の高いスロッタナイフを提供することを目的とする。
【課題を解決するための手段】
【０００９】
上記目的を達成するため、本発明は、外周面の両側縁に一対の円弧状刃部を有する扇形板状部と、該扇形板状部の外周面の周方向一方の端部に設けられた突刃部とを備えるスロッタナイフにおいて、前記突刃部は四角錐台形状に形成され、前記突刃部の径方向外方の面を先端面、前記周方向一方側の面を前端面、周方向他方側の面を後端面として、前記先端面の前記前端面と連接する前縁は、前記扇形板状部の外周面に沿う円の中心軸線に対して傾斜しており、前記前端面は、前記先端面の前縁から径方向内方へ垂下し、前記先端面の前記後端面と連接する後縁は、前記前縁と同一方向であって前記中心軸線に対し該前縁よりも傾斜しており、前記後端面は、前記扇形板状部の外周面から捩れる様にして前記先端面に向って次第に径方向外方へ突出する様に傾斜した面とされることを特徴とする。
【００１０】
本発明によれば、突刃部が四角錐台形状に形成され、先端面を備えるため、従来の尖鋭な突刃部と比較して刃先が磨耗し難く、耐久性を向上させることができる。又、実験の結果、突刃部の先端面の前縁を、扇形板状部の外周面に沿う円の中心軸線に対して傾斜させ、前端面を、先端面の前縁から径方向内方へ垂下させ、先端面の後縁を、前縁と同一方向であって前記中心軸線に対し前縁よりも傾斜させ、後端面を、扇形板状部の外周面から捩れる様にして先端面に向って次第に径方向外方へ突出する様に傾斜した面とすることにより、切り溝の端部の破れを防止できることが分かった。従って、本発明によれば、切溝部の端部の破れを防止すると共に、耐久性を向上させることができる。
【００１１】
ところで、段ボール製包装箱用のシートを作成する際には、シートの両端を張り合わせて筒状の胴部を形成するための止め代が形成される。この止め代は、スロッタ装置で止め代用の切り溝を形成することにより設けられる。ここで、止め代は幅が狭いため、止め代用の切り溝を形成する際に、止め代がスロッタナイフ側に引き込まれ易い。止め代がスロッタナイフ側に引き込まれると、スロッタナイフが切り溝部分を上手く切断することができず、これにより、止め代用の切り溝の端部に破れが生じ易い。特にシートの挿入方向の後端部側の止め代用の切り溝の始端部は、スロッタナイフの突刃部により切り始められる部分であるため、破れ易い。
【００１２】
この場合、上記スロッタナイフを、段ボール製包装箱用シートの挿入方向の後端部側の止め代用の切り溝を形成するものとし、突刃部の先端面の前縁及び後縁を、止め代側が前記周方向他方に向うように傾斜させればよい。これにより、シートの後端部側の止め代用の切り溝は、止め代の反対側から切り始められるため、切り始め時においては、切り溝の幅の分だけ止め代側の幅が広くなり、止め代がスロッタナイフ側に引き込まれ難い。更に、突刃部の前縁の止め代の反対側から切り始められるため、切り始め時においては、突刃部が、シートに点接触状態となって突き刺さり易くなる。従って、本発明のスロッタナイフによれば、特に破れ易い段ボール製包装箱用シートの後端部側の止め代用の切り溝の始端部が破れることを防止することができる。
【図面の簡単な説明】
【００１３】
【図１】本発明のスロッタナイフの実施形態を用いたスロッタ装置を示す説明図。
【図２】図１のスロッタ装置を中心軸線方向から示す説明図。
【図３】（ａ）は切り溝を形成する前のシートを示す説明図、（ｂ）は切り溝を形成した後のシートを示す説明図。
【図４】（ａ）はスロッタナイフを突刃部の先端面側から示す説明図、（ｂ）はスロッタナイフを中心軸線方向一方（止め代と反対側）から示す説明図、（ｃ）はスロッタナイフを中心軸線方向他方（止め代側）から示す説明図。
【発明を実施するための形態】
【００１４】
本発明のスロッタナイフの実施形態を、図１、図２に示すスロッタ装置１を用いて説明する。スロッタ装置１は、図３に示す矩形段ボールシートＳの前後端部に切り溝Ｓｆ１〜４，Ｓｒ１〜４を形成するものであり、第１回転軸２１と、第１回転軸２１と平行に配置される第２回転軸２２とを備える。図３に示すように、段ボールシートＳには、両端を張り合わせて筒状の胴部を形成するための止め代Ｓａが形成されている。
【００１５】
第１回転軸２１には、第１回転軸２１を内挿した状態で第１筒状体３１が固定されており、この第１筒状体３１は第１回転軸２１と共に回転する。第１筒状体３１の軸方向一端面には、段ボールシートＳの止め代Ｓａ用の切り溝Ｓｆ１，Ｓｒ１を形成する為に、周方向に間隔を存して一対のスロッタナイフ４，５がボルト４ａ，５ａで固定されている。
【００１６】
第２回転軸２２には、第２回転軸２２を内挿した状態で第２筒状体３２が固定されており、この第２筒状体３２は第２回転軸２１と共に回転する。第２筒状体３２の外周面にはスロッタナイフ４，５に対応させてスロッタナイフ４，５の刃先を受け入れる環状溝部６が形成されている。環状溝部６の開口端縁６ａは、スロッタナイフ４，５に対する受け刃となっており、両筒状体３１，３２間に段ボールシートＳを挿入すると、スロッタナイフ４，５と受け刃たる開口端縁６ａに挟まれて、段ボールシートＳの前後両端部に止め代Ｓａ用の切り溝Ｓｆ１，Ｓｒ１が形成される。尚、止め代Ｓａの前後両端は、図外の刃により斜めに切断される。
【００１７】
第１回転軸２１の回転方向を前方、第１回転軸２１の回転方向と逆の方向を後方とし、前方に位置するスロッタナイフ４を前方スロッタナイフ４、後方に位置するスロッタナイフ５を後方スロッタナイフとして、前方スロッタナイフ４は段ボールシートＳの挿入方向の前端部の切り溝Ｓｆ１を形成し、後方スロッタナイフ５は段ボールシートＳの挿入方向の後端部の切り溝Ｓｒ１を形成する（図３（ｂ）参照）。前方スロッタナイフ４の後端部には、段ボールシートＳの前端部に位置する止め代Ｓａ用の切り溝Ｓｆ１の後端部を形成するための切り終り突部４１が形成されている。
【００１８】
後方スロッタナイフ５は、ボルト５ａを挿通させる挿通孔５１ａを有する扇形板状部５１と、扇形板状部５１の外周面の両側縁に形成された一対の円弧状刃部５２と、扇形板状部５１の外周面の前端部に突設された突刃部５３とを備える。
【００１９】
突刃部５３は、四角錐台形状に形成されている。径方向外方を先方として、突刃部５３の先端面５３ａの前縁Ｘは、扇形板状部５１の外周面に沿う円の中心軸線Ｌに対して止め代Ｓａ側が後方に向うように傾斜している。突刃部５３の前端面５３ｂは、平坦であり、先端面５３ａの前縁Ｘから中心軸線Ｌ側に向って垂下している。
【００２０】
先端面５３ａの後縁Ｙは、前縁Ｘと同一方向であって中心軸線Ｌに対し前縁Ｘよりも更に傾斜している。後端面５３ｃは、扇形板状部５１の外周縁から捩れる様にして先端面５３ａに向って次第に径方向外方に突出する傾斜した面となっており、後縁Ｙで先端面５３ａと連設されている。
【００２１】
本実施形態の後方スロッタナイフ５によれば、突刃部５３が四角推台形状に形成され、先端面５３ａを備えるため、従来の尖鋭な突刃部と比較して刃先が磨耗し難く、耐久性を向上させることができる。
【００２２】
又、実験の結果、先端面５３ａの前縁Ｘを中心軸線Ｌに対して傾斜させ、前縁Ｘから前端面５３ｂを中心軸線Ｌ側に向けて垂下させ、先端面５３ａの後縁Ｙを前縁Ｘよりも中心軸線Ｌに対して傾斜させ、後端面５３ｃを扇形板状部５１の外周縁から捩れる様にして突刃部５３の先端面５３ａに向って次第に径方向外方に突出する傾斜した面とし、前縁Ｘ及び後縁Ｙを止め代側が後方を向くように傾斜させることにより、段ボールシートＳの後端部側の切り溝Ｓｒ１の始端部の破れを防止できることが分かった。
【００２３】
特に、本実施形態においては、破れが生じ易い段ボールシートＳの後端部側の止め代用の切り溝Ｓｒ１を形成する後方スロッタナイフ５を上記の如く構成することにより、止め代用の切り溝Ｓｒ１は、止め代Ｓａの反対側から切り始められる。このため、切り始め時においては、切り溝Ｓｒ１の幅の分だけ止め代側の幅が広くなり、止め代Ｓａがスロッタナイフ５側に引き込まれ難い。更に、突刃部５３の前縁Ｘの止め代Ｓａの反対側から切り始められるため、切り始め時においては、突刃部５３が、段ボールシートＳに点接触状態となって突き刺さり易くなる。
【００２４】
従って、本実施形態の後方スロッタナイフ５によれば、段ボールシートＳの後端部の切り溝Ｓｒ１の始端部の破れを防止すると共に、突刃部５３の耐久性を向上させることができる。
【００２５】
尚、実施形態においては、本発明のスロッタナイフを段ボールシートＳの後端部側の止め代用の切り溝Ｓｒ１を形成するものとして説明したが、これに限られず、本発明のスロッタナイフは、シートの挿入方向後端部側に位置する他の切り溝Ｓｒ２〜４を形成するスロッタナイフにも適用することができる。
【符号の説明】
【００２６】
１…スロッタ装置、  ２１…第１回転軸、  ２２…第２回転軸、  ３１…第１筒状体、  ３２…第２筒状体、  ４…前方スロッタナイフ、  ４ａ…ボルト、  ４１…切り終り突部、  ５…後方スロッタナイフ、  ５ａ…ボルト、  ５１…扇形板状部、  ５１ａ…挿通孔、  ５２…円弧状刃部、  ５３…突刃部、  ５３ａ…先端面、  Ｘ…先端面の前縁、  Ｙ…先端面の後縁、  ５３ｂ…前端面、  ５３ｃ…後端面  ６…環状溝部、  ６ａ…受刃、  Ｓ…矩形段ボールシート、  Ｓａ…止め代、  Ｓｆ１…シートの前端部側の止め代用切り溝、  Ｓｆ２〜４…シートの前端部の切り溝、  Ｓｒ１…シートの後端部側の止め代用切り溝、  Ｓｒ２〜４…シートの後端部の切り溝。
【図１】
2010158860.tif 000003
【図２】
2010158860.tif 000004
【図３】
2010158860.tif 000005
【図４】
2010158860.tif 000006